(57)【要約】      （修正有）【課題】扇状に広がった巾寄せ装置の先端に送り込む軟質プラスチックフィルムを、巾寄せ装置に送り込む前に蛇行懸廻させ、この懸廻距離と巾寄せ装置の終点(収束点或はピンチローラ装置。)までのフィルムの送り距離をフィルムの中央部と両端方向の全面にかけて可及的に等しくなるようにし、送られるフィルムをスムーズに巾寄せ装置に送る折畳み装置を提供する。【解決手段】巾寄せ装置２の先端位置を扇状の湾曲位置に設定すると共に、巾寄せ装置２先端の湾曲位置に沿った前方向に湾曲バー７を設け、この湾曲バー７と略対向して湾曲する補助湾曲バー８を巾寄せ装置２の下側に設けて、巾広の軟質プラスチックフィルム１を蛇行状に懸廻自在とし、該フィルムの懸廻される補助湾曲バー８から巾寄せ装置２の収束点に当たるピンチローラ装置３までの距離を可及的に等しくなるよう設定した軟質プラスチックフィルム１の折畳み装置。【選択図】図１
2015047145.tif 000002
【特許請求の範囲】
【請求項１】
巾広で長尺の軟質プラスチックフィルムを巾方向の略中心より左右に略等間隔に折畳みながら蛇腹状に巾寄せする巾寄せ装置と、巾寄せ装置の末端に連続して配置し軟質プラスチックフィルムを蛇腹状の巾寄せ状態で押圧し折畳む左右一対のピンチロ−ラ装置と、折畳まれた軟質プラスチックフィルムを所定方向に矯正する方向変換装置とよりなる軟質プラスチックフィルムの折畳装置において、巾寄せ装置の先端位置を扇状の湾曲位置に設定すると共に、巾寄せ装置先端の湾曲位置に沿った前方向に湾曲バーを設け、この湾曲バーと略対向して湾曲する補助湾曲バーを巾寄せ装置の下側に設けて、巾広の軟質プラスチックフィルムを蛇行状に懸廻自在とし、該フィルムの懸廻される補助湾曲バーから巾寄せ装置の収束点に当たるピンチローラ装置までの距離を可及的に等しくなるよう設定した軟質プラスチックフィルムの折畳み装置。
【請求項２】
補助湾曲バーは駆動モータにより少なくとも１８０度回転自在とした請求項１の軟質プラスチックフィルムの折畳装置。
【発明の詳細な説明】
【技術分野】
【０００１】
本発明は通称ビニ−ルハウスとよばれる農業用の植物育成ハウスを構成するビニ−ル等の軟質プラスチックフィルムの折畳装置に関する。
【従来技術】
【０００２】
通常農業用のビニ−ルハウスを組み立てるには、先ず地面に金属パイプ等からなる支柱、横桟等を組み立てて骨組（通常間口が４〜７ｍ、棟高３〜４．５ｍ、棟長１０ｍ〜１００ｍ等で左右対称でかなり大型となっている。）を造り、一方長さ方向（前端縁から後端縁方向）にロ−ル状に巻いた或は不等間隔に蛇腹状に折畳んだ透明或は半透明のプラスチックフィルムを骨組の前後に置き、この端部を骨組の上部に引上げて両側から人力により後方に引いてトンネル状に展張し、左右対称になるよう所要位置を固定しているのが一般的である。
【０００３】
ところがこの農業用のフィルムは略巾が４ｍ〜１０ｍ，長さが１０ｍ〜１００ｍ（重量は、巾７ｍ、長さ５０ｍで約３５ｋｇ。）のため骨組の上方に引上げ、これを後方に引っ張る等の展張作業は風の無い日を選び通常３〜４人の共同作業で行い重労働を余儀なくされるなど能率が悪く、又擦り切れるなどの虞があり効率的な作業のできない欠点がある。
【０００４】
そこで本件発明者は先に特許第２９６９５５８号（以下旧発明という。）において、農業用の軟質プラスチックフィルムを棟に載せ左右両側を左右に落下させて展張作業のできるようにする軟質プラスチックフィルムの折畳装置を完成させた。
【０００５】
然しながらこの旧発明にあっては、巾広で長尺の軟質プラスチックフィルムを巾寄せ装置に送りこんで巾方向の略中心より左右に略等間隔に折畳みながら蛇腹状に巾寄せするようになっているが、扇状に広がった巾寄せ装置の先端に送り込む軟質プラスチックフィルムは一端直線状の送りバーに懸廻し送り込むようにすると、フィルムの両端方向に向かうに従って送りバーと巾寄せ装置の終点(収束点或はピンチローラ装置位置。)との距離が大きくなっていくので、送られるフィルムは送りバーの中央部に寄り易くなりスムーズな巾寄せができなくなる恐れがある。又直線状の送りバーとすることにより巾寄せ装置全体が大型化してしまい設置場所や経済的負担も大きくなる恐れがある。
【先行技術文献】
【特許文献】
【０００６】
【特許文献１】特許第２９６９５５８号
【発明の概要】
【発明が解決しようとする課題】
【０００７】
そこで本発明は、扇状に広がった巾寄せ装置の先端に送り込む軟質プラスチックフィルムを、巾寄せ装置に送り込む前に蛇行懸廻させ、この懸廻距離と巾寄せ装置の終点(収束点或はピンチローラ装置。)までのフィルムの送り距離をフィルムの中央部と両端方向の全面にかけて可及的に等しくなるようにし、送られるフィルムをスムーズに巾寄せ装置に送ることのできるものを提供しようとするものであり、また装置全体を小型化できるようにして経済的負担の軽減を図ろうとするものである。
【課題を解決するための手段】
【０００８】
本発明は、巾広で長尺の軟質プラスチックフィルムを巾方向の略中心より左右に略等間隔に折畳みながら蛇腹状に巾寄せする巾寄せ装置と、巾寄せ装置の末端に連続して配置し軟質プラスチックフィルムを蛇腹状の巾寄せ状態で押圧し折畳む左右一対のピンチロ−ラ装置と、折畳まれた軟質プラスチックフィルムを所定方向に矯正する方向変換装置とよりなる軟質プラスチックフィルムの折畳装置において、巾寄せ装置の先端位置を扇状の湾曲位置に設定すると共に、巾寄せ装置先端の湾曲位置に沿った前方向に湾曲バーを設け、この湾曲バーと対向して湾曲する補助湾曲バーを巾寄せ装置の下側に設けて、巾広の軟質プラスチックフィルムを蛇行状に懸廻自在とし、該フィルムの懸廻される補助湾曲バーから巾寄せ装置の収束点に当たるピンチローラ装置までの距離を可及的に等しくなるよう設定した軟質プラスチックフィルムの折畳み装置である。
【発明の効果】
【０００９】
本発明は、巾寄せ装置の先端位置を扇状の湾曲位置に設定すると共に、巾寄せ装置の湾曲位置に沿った先端方向に湾曲バーを設け、この湾曲バーと対向して湾曲する補助湾曲バーを巾寄せ装置の下側に設けて、巾広の軟質プラスチックフィルムを蛇行状に懸廻自在とし、該フィルムの懸廻される補助湾曲バーから巾寄せ装置の収束点に当たるピンチローラ装置までの距離を可及的に等しくなるよう設定したので、補助湾曲バーと湾曲バーによって懸廻された軟質プラスチックフィルムは両者の湾曲によって外側方向に寄せられながら巾寄せ装置に送られていくのでフイルムは中央部分に不用意に寄せられることなくスムーズに巾寄せされて折畳まれ、又折畳装置全体が小型化となり経済的な負担も軽減される。
【図面の簡単な説明】
【００１０】
【図１】本発明に係る軟質プラスチックフィルムの折畳装置の平面説明図
【図２】同折畳装置の平面概略説明図
【図３】同装置の側面説明図
【図４】同側面説明図
【図５】折畳んだ軟質プラスチックフィルムの使用説明図
【実施例】
【００１１】
本発明を図示の実施例に基づいて説明すると、ビニ−ル、ポリエチレン等よりなる巾広で長尺の軟質プラスチックフィルム１（継ぎ合わせた巾広のものでもよく、通常略巾が４ｍ〜１０ｍ，長さが１０ｍ〜１００ｍもある。）を巾方向の略中心（中心より多少ずれてもよい。）より左右に略等間隔（５０ｃｍ〜６０ｃｍ位）に折畳みながら蛇腹状に巾寄せする巾寄せ装置２と、巾寄せ装置２の末端に連続して配置し巾寄せされた軟質プラスチックフィルム１を左右より押圧し折畳む左右一対のピンチロ−ラ装置３と、折畳まれた軟質プラスチックフィルム１を所定方向に矯正する方向変換装置４とよりなっている。
【００１２】
巾寄せ装置２は左右等間隔に順次巾狭くなるよう配し軟質プラスチックフィルム１を挟着しながら送り出す複数個の挟着ベルト装置５、５…を略等間隔（図では８５０ｍｍ）に扇状に配し、この隣接する挟着ベルト装置５、５間に配した折畳中心ガイドバ−６を設けてあり、これらの挟着ベルト装置５、５…の先端位置２’（巾寄せ装置１の先端）を扇状の湾曲位置に設定すると共に、巾寄せ装置２の先端の湾曲に沿った前方向に湾曲バー７を設け、この湾曲バー７と略対向するよう湾曲した補助湾曲バー８を巾寄せ装置２の下側に設けて、巾広の軟質プラスチックフィルム１を補助湾曲バー８、湾曲バー７と順に蛇行状に懸廻自在としてあり、該フィルム１の懸廻される補助湾曲バー８から巾寄せ装置２の収束点に当たるピンチローラ装置３までの距離を可及的に等しく(近似値)なるよう設定してある。補助湾曲バー８の湾曲度は湾曲バー７との互いの相対関係において設定し、該フィルム１の懸廻される補助湾曲バー８から巾寄せ装置２の収束点に当たるピンチローラ装置３までの距離を可及的に等しくなるようする。即ち収束点(ピンチローラ装置)から湾曲バー７の先端までの距離Ａと補助湾曲バー８の先端と湾曲バー７の先端までの距離Ｂの和は各挟着ベルト装置５，５…位置において略等しい値(近似値)となるよう設定してある。
【００１３】
補助湾曲バー８は両端が直線状になっていて軸受けに軸支されており、駆動モータにより１８０度回転自在となっており所定の位置で固定されるようになっている。
【００１４】
挟着ベルト装置５は同期する上下の挟着ベルト９、９’の表面が重なり、該上下の挟着ベルト９、９’間に軟質プラスチックフィルム１が挟着され運びだされるようになっており、挟着ベルト９、９’の表面は挟着効率を高めるために凹凸を設けておいてもよい。
【００１５】
尚各挟着ベルト装置５、５…の先端位置２’は扇状の湾曲になるように設定してある。
【００１６】
方向変換装置４は図示しない所定角度に傾斜する変換ロ−ラバ−や送りバ−等よりなっていて、方向変換され折畳まれた軟質プラスチックフィルム１を巻き取ったり或はジグザグ状に折畳む等の図示しない梱包縮小装置に送られて縮小され、図示しない紐で結束したり、袋に収納したりして梱包する。勿論手作業によって梱包、折畳、巻き取り等をしてもよい。
【００１７】
折畳中心ガイドバ−６は順次下方（狭巾方向）に傾斜して設けてあり、確実に中心より折畳まれるようにしてある。
【００１８】
挟着ベルト９、９’は駆動モ−タで上下を同期させ、又挟着ベルト９、９’の形状は一般的にはＶベルトを使用するが、ベルト表面を凹凸状にして、フィルムを確実に挟着しずれ動いたりしないようにするとよい。
【作用】
【００１９】
本発明は以上のように具現されるもので、この作用を説明すると、駆動モ−タを１８０度駆動させて補助湾曲バー８を図３のように前方に位置させ、巻かれた軟質プラスチックフイルム１の端部を引き出してこの補助湾曲バー８に懸廻した後、湾曲バー７に懸廻し、フィルム１の先端部を挟着ベルト装置５，５…の先端に挟み込み、その後図４のように駆動モータを駆動させて補助湾曲バー８を１８０度後方に回転させる。これによりフィルム１は補助湾曲バー７、湾曲バー７に蛇行状に懸廻されて挟着ベルト装置５に送り込まれ、巾寄せ装置２を作動させることにより順次巾寄せされ、且つ折畳中心ガイド６、６によって隣接する挟着ベルト装置５、５間のフィルム１の折畳センタ−が確実に垂れ下がって蛇腹状に巾寄せされ、巾寄せ装置２の末端から巾寄せされたフィルム１はピンチロ−ラ装置３によって押圧されて折畳まれ、この折畳まれたフィルム１は方向変換装置４によって向きを変え、図示しない梱包縮小装置によって巻かれたり、ジグザグ状に折畳み縮小されて梱包される。補助湾曲バー８は固定されている場合はフィルム１の先端を引っ張り出して懸廻し、更に引き出して湾曲バー８に懸廻し前同様に挟着ベルト装置５,５…に挟み込む。
【００２０】
この折畳まれたフィルム１を使用するには、折畳襞の中心部を農業用ビニ−ルハウスの骨組１０の中心部分に位置させて左右に広げ、フィルム１の左右の端を下方に引き降ろすことにより折畳が順に解け、骨組を覆う。
【符号の説明】
【００２１】
１…軟質プラスチックフィルム
２…巾寄せ装置
３…ピンチロ−ラ装置
４…方向変換装置
５…挟着ベルト装置
６、６、６…折畳中心ガイドバ−
７…湾曲バー
８…補助湾曲バー
９，９’…挟着ベルト
１０…骨組
【図１】
2015047145.tif 000003
【図２】
2015047145.tif 000004
【図３】
2015047145.tif 000005
【図４】
2015047145.tif 000006
【図５】
2015047145.tif 000007